(57)【要約】【課題】綴じ具のリング片を安定して閉止位置に固定できるようにしつつ、固定位置に移動させる際に急にリングが閉まる不具合及び外力により誤ってリングが開く不具合を解消する。【解決手段】ベース２と、少なくとも１対のリング片３ａ、３ｂとを具備し、少なくとも片側の前記リング片３ａ、３ｂの基端部をベース２に実線に示す閉止位置Ｓと想像線に示す開成位置Ｏとの間で回転移動可能に取り付けているとともに、前記リング片３ａ、３ｂから前記ベース２に優先的に衝き当たる衝き当て部４ａ、４ｂを延ばして設け、前記リング片３ａ、３ｂを前記衝き当て部４ａ、４ｂが前記ベース２に衝き当たる点である支鞍点Ｔからさらに前記閉止位置Ｓまで移動させて弾性力を付与し得るように構成していて、さらに蓄積された弾性力が放出されないように対をなす前記リング片３ａ、３ｂが前記閉止位置において相互に係り合うようにしている綴じ具１を提供する。【選択図】図５
2004034570.tif 000002
【特許請求の範囲】
【請求項１】
ベースと、少なくとも１対のリング片とを具備し、少なくとも片側の前記リング片の基端部をベースに閉止位置と開成位置との間で回転移動可能に取り付けているとともに、前記リング片から前記ベースに優先的に衝き当たる衝き当て部を延ばして設け、前記リング片を前記衝き当て部が前記ベースに衝き当たる点である支鞍点からさらに前記閉止位置まで移動させて弾性力を付与し得るように構成していて、さらに蓄積された弾性力が放出されないように対をなす前記リング片が前記閉止位置において相互に係り合うようにしていることを特徴とするリング綴じ具。
【請求項２】
前記リング片を、線条体を折り曲げ加工したその両端に形成しているとともに、前記リング片間に前記衝き当て部を前記線条体の折り曲げ加工により形成していることを特徴とする請求項１記載のリング綴じ具。
【請求項３】
前記ベースの両側縁部に前記線条体を回転可能に取り付けていることを特徴とする請求項２記載のリング綴じ具。
【請求項４】
前記リング片の先端部に係合突起を設けているとともに、前記係合突起の基端寄りに係合凹部を設けていて、閉止位置において対をなす前記リング片の前記係合突起と前記係合凹部とが互いに嵌まりあうようにしていることを特徴とする請求項１、２、又は３記載のリング綴じ具。
【請求項５】
偶数対のリング片を具備し、隣接するリング片の前記係合突起が対向又は離反するようにしていることを特徴とする請求項４記載のリング綴じ具。
【請求項６】
前記ベースに凸部を設けているとともに、閉止位置において前記衝き当て部が前記凸部に衝き当たるようにしていることを特徴とする請求項１、２、３、４、又は５記載のリング綴じ具。
【請求項７】
前記ベースが、平板状をなすとともに、前記支鞍点において対をなす前記リング片の先端部が互いに離間し、閉止位置において前記衝き当て部が前記ベースの板面に衝き当たるようにしていることを特徴とする請求項１、２、３、４、又は５記載のリング綴じ具。
【請求項８】
前記ベースが、板状をなすベース本体と、このベース本体の板面に設けられた当たり板とを具備するとともに、閉止位置において前記衝き当て部が前記当たり板に衝き当たるようにしていることを特徴とする請求項１、２、３、４、又は５記載のリング綴じ具。
【請求項９】
前記リング片を自由回転可能に前記ベースに取り付けていることを特徴とする請求項１、２、３、４、５、６、７、又は８記載のリング綴じ具。
【発明の詳細な説明】
【０００１】
【発明の属する技術分野】
本発明は、リング片を係合させて紙葉類を綴じるリング綴じ具に関する。
【０００２】
【従来の技術】
従来、リングを用いて紙葉類を綴じるリング綴じ具の一種として、開閉可能に構成したリング片の基端部をベースに設けた板ばねに連結するとともに対をなすリング片を係合させ、板ばねの弾性力を用いて閉止状態を保つようにしているものが考えられている。
【０００３】
【発明が解決しようとする課題】
しかし、このような綴じ具は、閉止状態にするとき、板ばねの弾性力により勢いが付加されるので、急に閉じてしまい好ましくない場合がある。さらに、リング片の先端を単に凹凸係合させてあるだけなので、このような綴じ具を用いたファイルを落とした場合に、綴じ具が弾みで開成状態になってしまうことがありうる不具合も存在する。
【０００４】
本発明は以上に述べた課題を解決し、この綴じ具を閉止状態にする際に急に閉じないようにするとともに、このような綴じ具を用いたファイルを落としても開いてしまわないように構成したものである。
【０００５】
【課題を解決するための手段】
すなわち本発明に係るリング綴じ具は、ベースと、少なくとも１対のリング片とを具備し、少なくとも片側の前記リング片の基端部をベースに閉止位置と開成位置との間で回転移動可能に取り付けているとともに、前記リング片から前記ベースに優先的に衝き当たる衝き当て部を延ばして設け、前記リング片を前記衝き当て部が前記ベースに衝き当たる点からさらに前記閉止位置まで移動させて弾性力を付与し得るように構成していて、さらに蓄積された弾性力が放出されないように対をなす前記リング片が前記閉止位置において相互に係り合うようにしていることを特徴とする。
【０００６】
このようなものであれば、リング片を前記衝き当て部が前記ベースに衝き当たる点を越えて移動させることにより弾性力を与えているので、リング片はこの弾性力により互いに引き合い、リング片に板ばねを連結したものと同様の効果が得られるとともに、前記リング片の閉止位置までの移動には弾性力は逆に作用するので、リング片が急に閉まることを防ぐことができるようになる。さらに、外部の板ばねでなく、前記リング片自体の弾性力を利用しているとともに、リング片が相互に係り合っているので、外力により誤ってリングが開くことも防げる。
【０００７】
このような綴じ具をより少ない部品点数で実現するための態様として、前記リング片を、線条体を折り曲げ加工したその両端に形成しているとともに、前記リング片間に前記衝き当て部を前記線条体の折り曲げ加工により形成しているものが挙げられる。
【０００８】
開成位置における開口をより大きくするには、前記ベースの両側縁部に前記線条体を回転可能に取り付ければよい。
【０００９】
蓄積された弾性力が放出されないように対をなす前記リング片が前記閉止位置において相互に係り合うようにするための簡単な形状として、前記リング片の先端部に係合突起を設けているとともに、前記係合突起の基端寄りに係合凹部を設けていて、閉止位置において対をなす前記リング片の前記係合突起と前記係合凹部とが互いに嵌まりあうようにしているものが挙げられる。
【００１０】
特に、偶数対のリング片を具備し、隣接するリング片の前記係合突起が対向又は離反するようにしているようなものであれば、隣接するリング片を相寄る方向に引き、または互いに離反する方向に押すことにより係合を解除することができるようになる。
【００１１】
最も少ない部品点数により確実に前記リング片に弾性力を与えるようにするには、前記ベースに凸部を設けるとともに、閉止位置において前記衝き当て部が前記凸部に衝き当たるようにすればよい。
【００１２】
また、前記ベースが、平板状をなすとともに、前記支鞍点において対をなす前記リング片の先端部が互いに離間し、閉止位置において前記衝き当て部が前記ベースの板面に衝き当たるようにしているものであれば、ベースに凸部を設けることなく少ない工程でこのようなリンク綴じ具を製造できる。
【００１３】
一方、さらに確実に前記リング片に弾性力を与えるようにするには、前記ベースに、板状をなすベース本体と、このベース本体の板面に設けられた当たり板とを具備させるとともに、閉止位置において前記衝き当て部が前記当たり板に衝き当たるようにすればよい。このように構成すれば、当たり板自体の弾性力をも利用できるからである。
【００１４】
開口部の大きさを最大限にとるには、前記リング片を自由回転可能に前記ベースに取り付ければよい。このように構成すれば、リング片は例えばファイルの表紙に当たるまで最大限に移動できるからである。
【００１５】
【発明の実施の形態】
以下に本発明の一実施形態について述べる。
【００１６】
本実施形態に係るリング綴じ具１は、図８に示すようなファイルＦに用いられるものであり、図１、図２、及び及び図８に示すように、ベース２と、リング片３ａ、３ｂ及び衝き当て部４ａ、４ｂを有する１対の線条体５ａ、５ｂとを具備する。前記リング片３ａ、３ｂは、図１に斜視図を示す閉止位置Ｓと、図２に斜視図を示す開成位置Ｏとの間を移動可能に構成している。
【００１７】
前記ベース２は、前記図１、前記図２、綴じ具１の平面図である図３、及び前記図８に示すように、両端部の幅寸法を大きくした略矩形板状をなすものであり、その端縁には全周にわたって凸部たる突条２ａが設けてある。また、両端部には、ファイル本体Ｆ１に取り付けるための取付孔２ｂが設けてあり、この取付孔とファイル本体Ｆ１に設けた図示しない取付孔とを重合させ、リベットなどによりファイル本体Ｆ１に固定するようにしている。
【００１８】
前記リング片３ａと、前記衝き当て部４ａとは、前記図３、綴じ具１の正面図である図４、図３におけるａ−ａ断面図である図５、線条体５ａの平面図である図６、及びこの線条体５ａの正面図である図７に示すように、ともに線条体５ａを折り曲げ加工して設けている。具体的には、１本の線条体５ａの両端部を９０度折り曲げて閉止位置Ｓにおいてベース２から立ち上がる起立部３３ａを設けているとともに、さらに先端部を略四半円状に折り曲げて先端に位置する係合突起３１ａと、この係合突起３１ａの基端寄りに位置する係合凹部３２ａとを有する係合部３０ａを設け、リング片３ａを形成している。一方、衝き当て部４ａは、前記リング片３ａの間に位置する部分を、この衝き当て部４ａがベース２に優先的に衝き当たるような形状に折り曲げて形成している。同様に、前記リング片３ｂと、前記衝き当て部４ｂとは、図３〜図７に示すように、ともに線条体５ｂを折り曲げ加工して設けている。前記リング片３ａ、３ｂは、例えば親指と人差し指とを用い、互いに相寄る方向に引き寄せることで、リング片３ａ、３ｂが相互に掛かり合える構成を採用している。閉止位置Ｓにおいては、前記係合突起３１ａを係合凹部３２ｂに嵌めるようにしているとともに、前記係合突起３１ｂを前記係合凹部３２ａに嵌めるようにしている。すなわち、対をなすリング片３ａ、３ｂの前記係合突起３１ａ、３１ｂと、前記係合凹部３２ｂ、３２ａとが互いに嵌りあうようにしている。ここで、一方の線条体５ａに設けたリング片３ａの係合突起３１ａは、互いに対向しているが、他方の線条体５ｂに設けたリング片３ｂの係合突起３１ｂは、互いに離反している。そして、前記リング片３ａ、３ｂと前記衝き当て部４ａ、４ｂとの間の部分を、前記ベース２の側縁から側方に突出して設けた取付部２ｘに、自由回転可能に取り付けている。なお、図４及び図５において、閉止位置Ｓは実線に示し、開成位置Ｏは想像線に示している。
【００１９】
しかして本実施形態では、図４及び図５に示すように、このリング片３ａ、３ｂを閉止位置Ｓにむけて移動させると、前記衝き当て部４ａ、４ｂが前記ベース２に優先的に衝き当たるようにしている。そして、リング片３ａ、３ｂを開成位置Ｏから閉止位置Ｓに移動させる際には、前記衝き当て部４ａ、４ｂが前記ベース２に衝き当たる位置である支鞍点Ｔを越えて移動させ、弾性力を付与し得るように構成していて、さらに蓄積された弾性力が放出されないように対をなす前記リング片３ａ、３ｂが前記閉止位置Ｓにおいて相互に係り合うようにしている。なお、図４及び図５において、支鞍点Ｔを想像線に示している。
【００２０】
次に、この綴じ具のリング片３ａ、３ｂを開成位置Ｏから閉止位置Ｓに移動させて紙葉類を綴じる方法を示す。
【００２１】
まず、紙葉類に予め綴じ孔を設けておき、この綴じ孔をリング片３ａ、３ｂに挿し通す。次に、対をなすリング片３ａ、３ｂを相寄る方向に引き寄せる。すると、線条体５ａ、５ｂが回転していき、衝き当て部４ａ、４ｂがベース２の突条２ａに衝き当たる。そしてさらに、線条体５ａ、５ｂに弾性力を付与しつつリング片３ａ、３ｂをさらに引き寄せ、係合突起３１ａ、３１ｂと係合凹部３２ｂ、３２ａを係り合わせる。
【００２２】
このとき、係合突起３１ａ、３１ｂと係合凹部３２ｂ、３２ａとの間には、前記したような弾性力が作用し、この弾性力により対をなすリング片３ａ、３ｂが互いに引き合う。
【００２３】
逆に、この綴じ具１のリング片３ａ、３ｂを閉止位置Ｓから開成位置Ｏに移動させるには、離反させて設けた係合突起３１ｂを有する線条体５ｂに設けたリング片３ｂを、例えば親指と人差し指とを用いて相寄る方向に引き寄せる。すると、係合突起３１ｂと係合凹部３２ａとの間の係合が外れ、衝き当て部４ａによる前記弾性力が開放されて前記弾性力によりリング片３ａ、３ｂは開成位置近くに移動する。
【００２４】
このように、本実施形態においては衝き当て部４ａ、４ｂがベース２に衝き当たる支鞍点Ｔを越えてリング片３ａ、３ｂを移動させることにより弾性力を与えるとともに、この弾性力によりリング片３ａ、３ｂが互いに引き合うようにしているので、板ばねにより強制的に弾性力を付与した従来のものと異なり、リング片３ａ、３ｂを閉止位置に移動させる際に弾性力により急に閉まるような不具合は発生しない。また、この綴じ具１を用いたファイルＦを運ぶ際にはリング片３ａ、３ｂはファイル本体Ｆ１により外力から保護されていることが多く、対をなすリング片３ａ、３ｂが互いに開く方向に引き合うようにする力、すなわちリング片３ａ、３ｂ自体の弾性力を利用しながら、リング片３ａ、３ｂが相互にかかりあって閉止状態を維持していることから、不意な外力により前記閉止状態を解除しにくい構造を具備し、誤ってリングが開く不具合を防ぐことができる。さらに、ファイル本体Ｆ１に透明な部材を採用して、外部から綴じ具１が視認できる態様のファイルにこのような綴じ具１を用いると、板ばねにより強制的に弾性力を付与した従来の綴じ具では外部から板ばねが視認されるのに対して、この綴じ具では単にベース２の背面のみが視認されるので、見栄えを整えることができる。
【００２５】
また、リング片３ａ、３ｂを線条体５ａ、５ｂの両端部を折り曲げて形成しているとともに、線条体５ａ、５ｂのリング片３ａ、３ｂ間の部分に衝き当て部４ａ、４ｂを設けているので、少ない部品数で上述したような効果を得ることができる。
【００２６】
さらに、ベース２の両側縁部に前記線条体５ａ、５ｂを自由回転可能に構成しているので、両側のリング片３ａ、３ｂを最大限に回転移動させることができ、紙葉類を挿し入れる為の開口を大きくとることができる。
【００２７】
また、前記リング片３ａ、３ｂの先端部に係合突起３１ａ、３１ｂを設けるとともに、この係合突起３１ａ、３１ｂの基端側に係合凹部３２ａ、３２ｂを設け、閉止位置においてこれら係合突起３１ａ、３１ｂと係合凹部３２ｂ、３２ａとが互いに嵌りあうようにしているので、簡単な構成で、弾性力により対をなすリング片３ａ、３ｂが互いに引き合う構成を実現できる。
【００２８】
そして、前記ベース２に突条２ａを設けて閉止位置Ｓにおいて衝き当て部４ａ、４ｂがこの突条に衝き当たるようにしているので、最小限の部品数で確実に前記リング片３ａ、３ｂに弾性力を与えることができる。
【００２９】
加えて、隣接するリング片３ａ、３ｂの係合突起３１ａ、３１ｂが、１組は互いに対向し、もう１組は互いに離反しているので、係合突起３１ｂが離反した側のリング片３ｂを相寄る方向に引き寄せることにより係合を解除させて開放位置に移動させることができる。
【００３０】
なお、本発明は以上に述べたような実施形態に限られない。
【００３１】
例えば、ベースの上面に、例えば樹脂製の当たり板を設けてもよい。この場合、衝き当て部はこの当たり板に優先的に衝き当たり、線条体にこの当たり板の弾性力を付与し、線条体自体の弾性力に上乗せすることができる。一方、前記ベースが、平板状をなすとともに、前記支鞍点において対をなす前記リング片の先端部が互いに離間し、閉止位置において前記衝き当て部が前記ベースの板面に衝き当たるようにする等の工夫により、ベースの上面の突条及び前記当たり板の両方を省略するようにしてももちろんよい。
【００３２】
また、上述した実施形態では、両側のリング片を回転可能に構成しているが、対をなすリング片のうち片側はベース等に固定して設けてもよい。
【００３３】
さらに、リング片と作用体とを線条体の折り曲げ加工により設ける代わりに、例えばリング片に作用体を溶接してもよいし、線条体の片側のみにリング片を設けてもよい。
【００３４】
そして、上述したような２穴式のファイルだけでなく、例えば上述した実施形態で述べたような線条体を紙葉類の端縁に沿う方向に複数並べて配置する等することにより、例えば６穴式のファイルにも応用できる。
【００３５】
【発明の効果】
本発明は、リング片から延ばして衝き当て部を設け、この衝き当て部を介して弾性力をリング片に付与し、対をなす前記リング片が前記閉止位置において相互に係り合うようにして互いに引き合うようにしているので、板ばねを用いた従来のリングファイルに存在する板ばねの弾性力により急に閉まってしまう不具合や、外力により誤ってリングが開いてしまう不具合の発生を防ぐことができる。
【図面の簡単な説明】
【図１】本発明の一実施形態に係るリング綴じ具の閉止位置における斜視図。
【図２】同実施形態に係るリング綴じ具の開成位置における斜視図。
【図３】同実施形態に係るリング綴じ具の平面図。
【図４】同実施形態に係るリング綴じ具の正面図。
【図５】図３におけるａ−ａ断面図。
【図６】同実施形態に係るリング綴じ具の線条体の平面図。
【図７】同実施形態に係るリング綴じ具の線条体の正面図。
【図８】同実施形態に係るリング綴じ具を用いたファイルの斜視図。
【符号の説明】
１…リング綴じ具
２…ベース
２ａ…突条（凸部）
３…リング片
３１…係合突起
３２…係合凹部
４…衝き当て部
５…線条体
Ｓ…閉止位置
Ｏ…開成位置
【図１】
2004034570.tif 000003
【図２】
2004034570.tif 000004
【図３】
2004034570.tif 000005
【図４】
2004034570.tif 000006
【図５】
2004034570.tif 000007
【図６】
2004034570.tif 000008
【図７】
2004034570.tif 000009
【図８】
2004034570.tif 000010